(57)【要約】【課題】パネルを構成するフレームが、面状部材の外面に露出するのを最小限として、見栄えを向上させるとともに、フレームの小型、軽量化を図る。【解決手段】机１の天板２の側辺又は後辺に沿うように設けられるパネル７であって、天板２にブラケット３０を介して取付可能なほぼ枠状のフレーム５の四隅部に、外向きに延出する支持杆１１を設け、各支持杆１１における遊端部の外面に、面状部材６の内面側の四隅部を取付ける。【選択図】　　　　図２
2004135831.tif 000002
【特許請求の範囲】
【請求項１】
机の天板の後辺又は側辺に沿うように設けられるパネルであって、前記天板又は机の脚柱にブラケットを介して取付可能なほぼ枠状のフレームの四隅部に、外向きに延出する支持杆を設け、各支持杆における遊端部の外面に、面状部材の内面側の四隅部を取付けたことを特徴とするパネル。
【請求項２】
各支持杆を、方形枠状をなすフレームのほぼ対角線方向に向かって延出させてなる請求項１記載のパネル。
【請求項３】
各支持杆の少なくとも面状部材が取付けられる遊端部を、フレームにより形成される面より外方に離間するように屈曲させてなる請求項１または２記載のパネル。
【請求項４】
フレームが、左右１対の縦杆と、上下１対の横杆と、それら縦杆と横杆との隣接端部同士を連結する連結部材とからなるものとし、かつ連結部材に支持杆を一体的に設けてなる請求項１〜３のいずれかに記載のパネル
【請求項５】
面状部材の四隅部に通孔を穿設するとともに、各支持杆の遊端部における前記通孔との対向面にめねじ孔を設け、面状部材の外方より通孔に挿入したボルトを前記めねじ孔に螺合することにより、面状部材を支持杆の遊端部に取付けた請求項１〜４のいずれかに記載のパネル。
【請求項６】
面状部材をメッシュ材により形成した請求項１〜５のいずれかに記載のパネル。
【請求項７】
面状部材を透光板により形成した請求項１〜５のいずれかに記載のパネル。
【発明の詳細な説明】
【０００１】
【発明の属する技術分野】
本発明は、机の天板の後辺部や左右の側辺部に取付けられるパネルに関する。
【０００２】
【従来の技術】
この種の従来のパネルとしては、方形をなす面状部材の外周端縁に縁部材を取付け、面状部材の外周縁を枠状フレームにより囲繞したものがある（例えば特許文献１参照）。
【０００３】
また、パネルをブラケットをもって机の一側部に取付けるための係止金具を、パネルにおける机側の面の両側部に取付けたものもある（例えば特許文献２参照）。
【０００４】
【特許文献１】
特開平１１−３１０９７８号公報
【特許文献２】
特開平１０−２１１０３３号公報
【０００５】
【発明が解決しようとする課題】
上述の特許文献１に記載されているパネルでは、枠状フレームが目立ち、見栄えが悪い。
【０００６】
また、面状部材を大きくすると、それに伴なって縁部材よりなる枠状フレームも大型化するため、パネルの重量が増すという問題もある。
【０００７】
上述した特許文献２に記載のパネルでは、パネル取付用の係止金具が該パネルの机側の面に直接取付けてあるため、机の天板の端面とパネル間の離間寸法を大として圧迫感等をなくしたいときなどに、ブラケットを必要以上に長くする必要があり、体裁が悪くなる。
【０００８】
本発明は、上記問題点に鑑みてなされたもので、面状部材取付用のフレーム部材等が面状部材の外面に露出するのを最小限として、見栄えを向上させるとともに、面状部材よりも小さなフレーム部材とすることにより、その小型、軽量化が図れ、かつ面状部材取付用のブラケットの突出寸法が小さくても、机の天板の端面と面状部材との間の間隔を大としうるようにしたパネルを提供することを目的としている。
【０００９】
【課題を解決するための手段】
本発明によると、上記課題は、次のようにして解決される。
（１）　机の天板の後辺又は側辺に沿うように設けられるパネルであって、前記天板又は机の脚柱にブラケットを介して取付可能なほぼ枠状のフレームの四隅部に、外向きに延出する支持杆を設け、各支持杆における遊端部の外面に、面状部材の内面側の四隅部を取付ける。
【００１０】
（２）　上記（１）項において、各支持杆を、方形枠状をなすフレームのほぼ対角線方向に向かって延出させる。
【００１１】
（３）　上記（１）または（２）項において、各支持杆の少なくとも面状部材が取付けられる遊端部を、フレームにより形成される面より外方に離間するように屈曲させる。
【００１２】
（４）　上記（１）〜（３）項のいずれかにおいて、フレームが、左右１対の縦杆と、上下１対の横杆と、それら縦杆と横杆との隣接端部同士を連結する連結部材とからなるものとし、かつ連結部材に支持杆を一体的に設ける。
【００１３】
（５）　上記（１）〜（４）項のいずれかにおいて、面状部材の四隅部に通孔を穿設するとともに、各支持杆の遊端部における前記通孔との対向面にめねじ孔を設け、面状部材の外方より通孔に挿入したボルトを前記めねじ孔に螺合することにより、面状部材を支持杆の遊端部に取付ける。
【００１４】
（６）　上記（１）〜（５）項のいずれかにおいて、面状部材をメッシュ材により形成する。
【００１５】
（７）　上記（１）〜（５）項のいずれかにおいて、面状部材を透光板により形成する。
【００１６】
【発明の実施の形態】
以下、本発明の実施形態を、図面に基づいて説明する。
図１は、本発明のパネルを備える机の平面図、図２は、同じく正面図を示すもので、平面形が概ね直角三角形をなす机（１）の天板（２）の下面のコーナー部には、下端にキャスタ（３）を有する脚柱（４）が取付けられ、天板（２）を３点で支持している。
【００１７】
天板（２）の後面（以下、図１の紙面下方を前として説明する）と左側面には、矩形枠状をなすフレーム（５）とメッシュ状の面状部材（６）とからなるパネル（７）が、高さ調節可能として取付けられている。
【００１８】
なお、上記両パネル（７）は、大きさが異なるのみで同一構成となっているため、以下の説明は、後方のパネル（７）についてのみ説明する。
【００１９】
また、フレーム（５）と面状部材（６）の四隅も同じ構造であるため、左上方の隅部を例にとって説明する。
図３〜図５に示すように、上記フレーム（５）は、左右１対のパイプ状の縦杆（８）と、縦長の長楕円パイプ状断面の上下１対の横杆（９）と、縦杆（８）と横杆（９）の両端部同士を連結する連結部材（１０）とよりなり、それらの各部材は、アルミニウム合金等の軽量材により形成されている。
【００２０】
各連結部材（１０）の外側面には、フレーム（５）のほぼ対角線方向を向くとともに、フレーム（５）により形成される方形面より離間する後方に若干傾斜させた支持杆（１１）が一体形成されている。
【００２１】
各支持杆（１１）の遊端（外端）には、面状部材（６）の後記するコーナー部材（２１）が取付け可能な円板状の取付部（１１ｂ）が、後向きに突設されている。
【００２２】
また、各連結部材（１０）の垂直をなす基部（１０ａ）の対向面には、縦杆（８）の端部内に嵌合可能な垂直かつ円筒形の突部（１２）と、横杆（９）の端部に嵌合可能な水平かつ縦長楕円形断面の突部（１３）とが、対向状に突設されている。
【００２３】
上記各部材を組付けてフレーム（５）を形成するには、４個の連結部材（１０）の両突部（１２）（１３）に、縦杆（８）と横杆（９）の両端部を嵌合したのち、縦杆（８）は、図４に示すように、基部（１０ａ）に穿設した上下方向を向く挿通孔（１４）に長寸のボルト（１５）を外方より挿入し、その先端を、縦杆（８）の端部の中空孔に圧嵌したナット（１６）に螺合することにより、また横杆（９）は、図５に示すように、突部（１３）に穿設した前後方向を向く左右２個のめねじ孔（１７）に、後方よりねじ（１８）を螺合することにより、それぞれ結合されている。
【００２４】
これにより、図２に示すような横長長方形をなす強固な枠状フレーム（５）が形成され、かつその四隅には、支持杆（１１）がほぼ対角線方向に向かって延出している。
【００２５】
上述した面状部材（６）は、図７〜図１０に示すように、天然繊維又は化学（合成）繊維により網目状に織られ、かつ上下左右の４辺に筒状取付部（１９ａ）が形成された伸縮性を有する長方形のメッシュ材（１９）と、各筒状取付部（１９ａ）内に嵌合された４本のパイプ状の取付杆（２０）と、上下左右の取付杆（２０）の端部同士を連結する４個のコーナー部材（２１）とからなり、メッシュ材（１９）の四隅部は、ほぼ斜め４５°に切除され、取付杆（２０）の端部同士が筒状取付部（１９ａ）の両端から若干突出するようにしてある。
【００２６】
各コーナー部材（２１）は、正面視ほぼ扇状をなし、上下と左右方向の対向部には、上記取付杆（２０）の筒状取付部（１９ａ）よりの突出端部が若干きつめに嵌合可能な有底の取付孔（２２ａ）と、筒状取付部（１９ａ）の端部が遊嵌可能な、取付孔（２２ａ）よりも若干大径の挿入孔（２２ｂ）とからなる段付孔（２２）が、互いに対向状に形成されている。
【００２７】
また、各コーナー部材（２１）におけるメッシュ材（１９）の隅部と対向する内端部には、図８及び図１０に示すように、内端が開口するとともに、メッシュ材（１９）の隅部の切除部が斜め４５°方向に向かって挿入可能な幅のスリット状の凹溝（２３）が、両端が両段付孔（２２）の挿入孔（２２ｂ）と連通するように形成されている。
【００２８】
各コーナー部材（２１）の外方の隅部における前後の面には、図６にも示すように、上記支持杆（１１）の取付部（１１ａ）と、後記する締付ワッシャ（２６）とが嵌合可能な円形の凹部（２４）が形成され、両凹部（２４）の中心には、前後方向を向く通孔（２５）が穿設されている。
【００２９】
面状部材（６）を組立てるには、図１０に示すように、メッシュ材（１９）の４辺の各筒状取付部（１９ａ）内に取付杆（２０）を挿入したのち、各取付杆（２０）の両端の突出端部を、コーナー部材（２１）の両取付孔（２２ａ）に嵌合するとともに、筒状取付部（１９ａ）の両端部を、コーナー部材（２１）の挿入孔（２２ｂ）に、メッシュ材（１９）の隅部を凹溝（２３）内に差し込むようにして挿入すればよい。
【００３０】
この組立作業は、メッシュ材（１９）を外方に強く引っ張りながら行われ、組立後において、メッシュ材（１９）には張力が働くため、それにたるみが生じることはなく、かつ取付杆（２０）の両端部がコーナー部材（２１）より簡単に外れる恐れもない。
【００３１】
また、メッシュ材（１９）の四隅部は、コーナー部材（２１）の凹溝（２３）内に収容されており、外部に露呈しないので、見栄えが向上する。
【００３２】
組立後の面状部材（６）に前述したフレーム（５）を取付けて、パネル（７）を形成するには、図３及び図６に示すように、フレーム（５）の四隅における各支持杆（１１）の遊端の取付部（１１ａ）を、面状部材（６）における各コーナー部材（２１）の前面側の凹部（２４）に嵌合したのち、後面側の凹部（２４）に厚肉の締付ワッシャ（２６）を嵌合し、該締付ワッシャ（２６）の後方より挿入したボルト（２７）を、コーナー部材（２１）の通孔（２５）に挿通して支持杆（１１）の取付部（１１ａ）の有底のめねじ孔（２８）に螺合することにより、図１及び図２に示すように、面状部材（６）の四隅が、それよりも小さなフレーム（５）の４個の支持杆（１１）の遊端により４点で支持され、かつフレーム（５）と面状部材（６）間に隙間を有するパネル（７）が形成される。
パネル（７）の組立後において、フレーム（５）は外方より見えないので、見栄えが向上する。
【００３３】
また、枠状のフレーム（５）の四隅より支持杆（１１）を対角線方向に延出し、その遊端により面状部材（６）を支持しているので、枠状フレーム（５）の大きさを必要最小限として、上下左右寸法の大きな面状部材（６）を取付けることができ、フレーム（５）を小型軽量化することができる。
【００３４】
上記パネル（７）は、天板（２）に次のようにして取付けられている。
図１１〜図１３に示すように（机の後面側のパネルの取付例を示す）、フレーム（５）における左右の縦杆（８）（左右対称につき、右方のみ図示する）の下端部寄りには、縦長のパネル支持部材（２９）が上下に摺動可能として嵌合され、その前面の外側部に前向き突設された取付片（２９ａ）の内側面には、側面視直角三角形をなす２枚合わせのブラケット（３０）の垂直板状をなす後端部が、ねじ（３１）により前向きとして固着されている。
【００３５】
ブラケット（３０）の上端の水平をなす支持片（３０ａ）は、天板（２）の後端部下面に固着された補強板（３２）にねじ（３１）により固定されている。
【００３６】
パネル支持部材（２９）の外側面には、上下２個の弾圧保持手段（３３）と、その中間に、停止手段（３４）とが設けられている。
【００３７】
弾圧保持手段（３３）は、パネル支持部材（２９）に穿設された保持孔（３５）内に左右方向に摺動可能に収容され、かつ先端の丸頭部が、縦杆（８）に向かって出没しうるようにした押圧ピン（３６）と、同じく押圧ピン（３６）の外方の保持孔（３５）内に縮設され、押圧ピン（３６）を常時縦杆（８）に向かって付勢する圧縮コイルばね（３７）とからなっている。
【００３８】
（３８）は、保持孔（３５）の開口部を閉塞する閉塞板である。
上記押圧ピン（３６）の先端の丸頭部は、縦杆（８）の外側面に等間隔おきに形成された半円弧状の複数の係合溝（３９）に選択的に係合しうるようになっている。
【００３９】
停止手段（３４）は、パネル支持部材（２９）の厚肉部に形成した縦長矩形をなす凹部（４０）の奥面中央部に穿設された保持孔（４１）内に左右方向に摺動可能に収容され、かつ先端の丸頭部が縦杆（８）に向かって進退する停止ピン（４２）と、その内方の保持孔（４１）に収容され、停止ピン（４２）を常時縦杆（８）より離間する外方に向かって付勢する圧縮コイルばね（３７）と、凹部（４０）内に前後方向を向く支持ピン（４３）を中心として左右方向に回動しうるように枢着されて収容され、内面中央部に停止ピン（４２）の外側面を押動可能な水平かつ先細り状の押圧片（４４ａ）を備える操作レバー（４４）とからなっている。
【００４０】
上記上下の弾圧保持手段（３３）、停止手段（３４）及び縦杆（８）に形成された係合溝（３９）により、パネル（７）の高さ調整手段を構成している。
【００４１】
図１３に示すように、操作レバー（４４）が凹部（４０）内においてほぼ垂直をなすロック位置では、押圧片（４４ａ）が左右方向を向いて停止ピン（４２）の外側面を押圧することにより、その丸頭部は縦杆（８）側に突出し、上下の押圧ピン（３６）の間の係合溝（３９）に突入するようになっている。
【００４２】
従って、パネル支持部材（２９）すなわちブラケット（３０）に対し、パネル（７）の上下方向の移動は確実に防止される。
【００４３】
一方、図１４に示すように、操作レバー（４４）を例えば上向きに回動させ、ロック解除位置とすると、押圧片（４４ａ）が下向きに回動してその先端が停止ピン（４２）により遠ざかることにより、停止ピン（４２）は圧縮コイルばね（３７）により外方に移動させられ、丸頭部が係合溝（３９）より離脱する。
【００４４】
従って、縦杆（８）又はパネル（７）全体を強く上下方向に動かせば弾圧保持手段（３３）の押圧ピン（３６）が係合溝（３９）より離脱し、別の係合溝（３９）に自動的に突入して係合することにより、パネル（７）の高さを係合溝（３９）の数だけ段階的に調節することができる。高さ調節後において操作レバー（４４）を図１３の状態まで回動させれば、パネル（７）はその位置で停止保持される。
【００４５】
なお、操作レバー（４４）が図１３のロック位置で妄りに回動しないように、押圧片（４４ａ）の先端面を垂直な平削面とするか、もしくは停止ピン（４２）の外側面の中央部を若干凹ませてもよい。
停止手段（３４）は、パネル（７）の大きさや重量等により、左右のパネル支持部材（２９）のいずれか一方にのみ設けることもある。
また、弾圧保持手段（３３）の押圧ピン（３６）の代わりに、ボール（鋼球）を用いることもできる。
【００４６】
このようにして、パネル（７）を机（１）の天板（２）に取付けると、面状部材（６）は、後向きに傾斜させた支持杆（１１）の遊端により、フレーム（５）の後方に離間して支持されているので、面状部材（６）の天板（２）の後端（または側端）よりの離間寸法が大となり、天板（２）の周囲に大きな空間が形成されることにより、パネル（７）による圧迫感がなくなる。
【００４７】
また、天板（２）の後端部（または側端部）にＯＡ機器のディスプレイ等を載置した際に、これを天板（２）の後方（または側方）に大きく突出させることができるため、天板（２）の上面を有効に使用することが可能となる。
【００４８】
さらに、フレーム（５）と面状部材（６）とは離間しているため、フレーム（５）の縦杆（８）の外周面全体をパネル支持部材（２９）により抱くように保持することができ、パネル（７）は、天板（２）により強固にかつ安定的に支持される。
【００４９】
図１５及び図１６は、パネル（７）の変形例を示すもので、上記と同一構成のフレーム（５）における支持杆（１１）の遊端に、例えばアクリル等よりなる透明もしくは半透明の透光性面状部材（４５）を取り付けてある。
すなわち、図６に示すように、各支持杆（１１）の遊端の取付部（１１ａ）の後面に突設された小径突部（１１ｂ）と、上述と同様の締付ワッシャ（２６）における前面に突設された小径突部（２６ａ）とを、透光性面状部材（４５）の四隅部に穿設した取付孔（４６）に嵌合させて、それらにより面状部材（４５）を挟んだのち、締付ワッシャ（２６）側より挿入したボルト（２７）を、取付部（１１ａ）のめねじ孔（２８）に螺合することにより、透光性面状部材（４５）は、上記と同様、４個の支持杆（１１）の遊端により４点で支持されている。
【００５０】
なお、透光性面状部材（４５）の四隅部に穿設した取付孔（４６）の内径を、両小径突部（１１ｂ）（２６ｂ）の外径よりも若干大きくしておけば、フレーム（５）の各構成部材の寸法精度や組立時に誤差が生じたとしても、フレーム（５）の支持杆（１１）の取付部（１１ａ）に容易に取付けることができる。
【００５１】
上記実施形態では、支持杆（１１）を、フレーム（５）のほぼ対角線方向に向かって延出させ、上下及び左右寸法の大きな面状部材（６）（４５）を支持しうるようにしているが、支持杆（１１）の延出方向は、上下寸法の大きな面状部材を用いるときには、上下方向に、また左右寸法の大きな面状部材を用いるときには左右方向に、それぞれ延出させることもある。
【００５２】
また、フレーム（５）と面状部材（６）（４５）とを離間させるために、支持杆（１１）全体を基部を中心として後向きに傾斜させているが、面状部材（６）（４５）が取付けられる遊端部のみを後向き（机の側方のパネルについては外側方）に折曲させるようにしてもよい。
【００５３】
パネル支持部材（２９）の上下移動を防止する手段は、上述のような停止手段（３４）に代えて、パネル支持部材（２９）に、縦杆（８）に向かって貫通するめねじ孔を穿設するとともに、このめねじ孔に、操作つまみを有する締付ボルトを螺合し、操作つまみを回動させて締付ボルトの先端を縦杆（８）の外周面に圧接させることにより、パネル支持部材（２９）の上下移動を防止するようにしてもよい。
【００５４】
上記実施形態では、フレーム（５）を支持するブラケット（３０）を天板（２）の下面に固着しているが、脚柱（４）に取付けることもある。
【００５５】
メッシュ状の面状部材（６）の代わりに、クロス等の面状部材を、また透光性面状部材（４５）の代わりに、木製ボードや化粧板等の面状部材をそれぞれ用いることもある。
【００５６】
【発明の効果】
請求項１記載の発明によれば、面状部材は、枠状フレームの四隅部より外方に延出する支持杆における遊端部の外面に取付けられているため、枠状フレームを面状部材よりも小さくでき、その小型、軽量化が図れる。
また、パネルの外面にフレームが露出しないので、見栄えが向上する。
【００５７】
請求項２記載の発明によれば、小さなフレームに、上下左右寸法の大きな面状部材を取付けることができる。
【００５８】
請求項３記載の発明によれば、面状部材は、フレームの外方に離間して取付けられるので、パネルを天板の端面より大きく離間させて圧迫感を解消したいときなどに、パネル取付用のブラケットの長さを必要最小限として、天板や脚柱よりの突出寸法を小さくすることが可能となり、体裁が向上する。
【００５９】
請求項４記載の発明によれば、フレームの組立てや分解作業が容易となるとともに、支持杆は連結部材と一体をなしているので、フレームを組立てるのと同時に、その四隅に支持杆を一定方向に向けて自動的に設けられ、支持杆単体を別途取り付ける手間が省ける。
【００６０】
請求項５記載の発明によれば、面状部材のフレームへの着脱作業を、４本のボルトのみにより容易に行うことができる。
【００６１】
請求項６及び７に記載の発明によれば、面状部材を光が透過するので、天板の上面が明るくなるとともに、閉塞感がなくなる。
【図面の簡単な説明】
【図１】本発明のパネルを備える机の平面図である。
【図２】同じく、正面図である。
【図３】パネルの左上方の隅部の拡大正面図である。
【図４】図３のＩＶ−ＩＶ線の拡大縦断側面図である。
【図５】フレーム組立後における図３のＶ−Ｖ線の拡大縦断側面図である。
【図６】図３のＶＩ−ＶＩ線の拡大縦断側面図である。
【図７】面状部材組立て前の左上方隅部の正面図である。
【図８】図７のＶＩＩＩ−ＶＩＩＩ線の縦断面図である。
【図９】図７のＩＸ−ＩＸ線の拡大縦断面図である。
【図１０】面状部材の左上方隅部を、一部を縦断して示す正面図である。
【図１１】パネル取付部の拡大側面図である。
【図１２】図１１のＸＩＩ−ＸＩＩ線の横断平面図である。
【図１３】同じく、図１１のＸＩＩＩ−ＸＩＩＩ線の拡大縦断正面図である。
【図１４】同じく、停止手段のロックを解除したときの図１３と同部位の拡大縦断正面図である。
【図１５】パネルの変形例を示す左上方隅部の正面図である。
【図１６】同じく、図１５におけるＸＶＩ−ＸＶＩ線の拡大縦断側面図である。
【符号の説明】
（１）机
（２）天板
（３）キャスタ
（４）脚柱
（５）フレーム
（６）面状部材
（７）パネル
（８）縦杆
（９）横杆
（１０）連結部材
（１０ａ）基部
（１１）支持杆
（１１ａ）取付部
（１１ｂ）小径突部
（１２）（１３）突部
（１４）挿通孔
（１５）ボルト
（１６）ナット
（１７）めねじ孔
（１８）ねじ
（１９）メッシュ材
（１９ａ）筒状取付部
（２０）取付杆
（２１）コーナー部材
（２２）段付孔
（２２ａ）取付孔
（２２ｂ）挿入孔
（２３）凹溝
（２４）凹部
（２５）通孔
（２６）締付ワッシャ
（２７）ボルト
（２８）めねじ孔
（２９）パネル支持部材
（２９ａ）取付片
（３０）ブラケット
（３０ａ）支持片
（３１）ねじ
（３２）補強板
（３３）弾圧保持手段
（３４）停止手段
（３５）保持孔
（３６）押圧ピン
（３７）圧縮コイルばね
（３８）閉塞板
（３９）係合溝
（４０）凹部
（４１）保持孔
（４２）停止ピン
（４３）支持ピン
（４４）操作レバー
（４４ａ）押圧片
（４５）透光性面状部材（透光板）
（４６）取付孔
【図１】
2004135831.tif 000003
【図２】
2004135831.tif 000004
【図３】
2004135831.tif 000005
【図４】
2004135831.tif 000006
【図５】
2004135831.tif 000007
【図６】
2004135831.tif 000008
【図７】
2004135831.tif 000009
【図８】
2004135831.tif 000010
【図９】
2004135831.tif 000011
【図１０】
2004135831.tif 000012
【図１１】
2004135831.tif 000013
【図１２】
2004135831.tif 000014
【図１３】
2004135831.tif 000015
【図１４】
2004135831.tif 000016
【図１５】
2004135831.tif 000017
【図１６】
2004135831.tif 000018